(57)【要約】【課題】トッププレートの固定を簡単、確実に行うとともに、トッププレート上の流出液の電装部への滴下を防止し、故障がないことを目的としている。【解決手段】被加熱物を載置するトッププレートと１、トッププレート１の周縁部を覆うとともに本体外郭３に装着される枠体２と、トッププレート１と枠体２の間に設けたシール部材８と、トッププレート１を枠体２に保持する支持部材９とを備え、支持部材９は、複数の部材により形成されるとともに複数の部材を相互に結合しかつ支持部材９の大きさを伸縮可能とする結合部１４を有し、枠体２に設けた係止部７に係止するように形成することにより、シール部材８を確実に保持し、吹きこぼれ溶液などが本体外郭３内に侵入するのを防止する。これにより、吹きこぼれ溶液の電装部１２への滴下を防止し、故障を防ぐことができる。【選択図】図２
2005273982.tif 000002
【特許請求の範囲】
【請求項１】
被加熱物を載置するトッププレートと、前記トッププレートの周縁部を覆うとともに本体外郭に装着される枠体と、前記トッププレートと前記枠体の間に設けたシール部材と、前記トッププレートを前記枠体に保持する支持部材とを備え、前記支持部材は、複数の部材により形成されるとともに複数の前記部材を相互に結合しかつ支持部材の大きさを伸縮可能とする結合部を有し、前記枠体に設けた係止部に係止されてなる加熱調理器。
【請求項２】
結合部は、対向する支持部材の双方の端部に形成された段部を有し、前記支持部材は、前記段部の上部で相互に重ねられ、双方の前記支持部材の段部側壁と前記段部の上部で形成される断面が略凹状の凹状部に、前記凹状部の双方の支持部材の段部側壁を押し広げる押圧部材を嵌め込むことにより支持部材を伸長する押圧部材を有する請求項１に記載の加熱調理器。
【請求項３】
結合部は、双方の支持部材段部の上部の一方にネジ穴を、他方に長穴を設け、両辺を傾斜面とした押圧部材に貫通穴を備え、前記貫通穴及び前記長穴を通したビスを前記ネジ穴に締め込むことにより前記押圧部材が凹状部の双方の支持部材の段部側壁を徐々に押し広げる構成の請求項２に記載の加熱調理器。
【請求項４】
結合部は、対向する支持部材の双方の端部に形成された段部を有し、前記支持部材段部の上部の一方にネジ穴を、他方に長穴を設け、貫通穴を有する断面略Ｕ状の弾性体により形成した弾性部材を備え、前記貫通穴及び前記長穴を通したビスを前記ネジ穴に締め込むことにより前記弾性部材が双方の前記支持部材の段部側壁と前記段部の上部で形成される断面が略凹状の凹状部の双方の支持部材の段部側壁を徐々に押し広げる構成の請求項１に記載の加熱調理器。
【請求項５】
支持部材は、複数の略コ状部材を対向して額縁状に形成するとともに、複数の前記略コ状部材が接する部位に結合部を設けてなる請求項１〜４のいずれか１項に記載の加熱調理器。
【請求項６】
結合部により接続された二つの支持部材を結合部以外の場所で連結する連結部材を装備した請求項１〜５のいずれか１項に記載の加熱調理器。
【発明の詳細な説明】
【技術分野】
【０００１】
本発明は、鍋などを載置するトッププレートを有する加熱調理器に関するものである。
【背景技術】
【０００２】
従来、この種の加熱調理器は、煮汁などが吹きこぼれたり、トッププレート上で容器が転倒して中の液が流出したりすると、流出液がトッププレートの支持部から本体内部に浸入し、電子回路や電気部品および電気接続部（以後、総称して電装部と呼ぶ）に滴下して故障を生じる恐れを有している。そのため、トッププレートの支持部には、一般的にはパッキンをほどこしている（例えば、特許文献１参照）。
【０００３】
図８に、システムキッチンに組み込まれた従来の加熱調理器の例を示す。トッププレート３０はパッキン３１を介してフレーム枠３２に取付けられ、電装部を内装したトップヒータ箱３６の上面部を覆って装備している。トップヒータ箱３６は、システムキッチンの天板３７の開口に組み込まれ、天板３７の下方に収容されている。
【０００４】
また、トッププレート３０は、フレーム枠３２に固定部３３をスポット溶接により取付け、固定部３３にネジ止めされた固定金具３４によりその下面に接圧し保持している。
【特許文献１】特開平６−１８１０８９号公報
【発明の開示】
【発明が解決しようとする課題】
【０００５】
しかしながら、前記従来の構成では、固定部３３をフレーム枠３２にスポット溶接により取付けており、溶接強度のバラツキにより固定部３３が脱落する恐れを有している。
【０００６】
固定部３３が脱落した場合、パッキン３１の押圧固定が緩み、煮汁などが本体内部に浸入し、電装部に滴下して故障を生じる恐れを有している。
【０００７】
また、フレーム枠３２に固定部３３をスポット溶接した後に固定金具３４をビスにより取付ける構成で、組立に要する費用は高価になる。
【０００８】
さらに、フレーム枠の外面にスポット溶接による焼痕が生じ、焼痕が外観を損なうため焼痕を隠す目的で表面研磨や、目隠しテープを貼り付けるなどの処置が必要となり、多大な工数を要するとともにコストアップになっている。
【０００９】
本発明は、前記従来の課題を解決するもので、スポット溶接を不要としてトッププレート固定部の脱落などの不良をなくし、パッキンが緩み、煮汁などの侵入による電装部の故障を防止するとともに、簡単に組立ができる構成でトッププレートの保持を可能とし、品質、コストに優れた加熱調理器を提供することを目的としている。
【課題を解決するための手段】
【００１０】
前記従来の課題を解決するために、本発明の加熱調理器は、被加熱物を載置するトッププレートと、前記トッププレートの周縁部を覆うとともに本体外郭に装着される枠体と、前記トッププレートと前記枠体の間に設けたシール部材と、前記トッププレートを前記枠体に保持する支持部材とを備え、前記支持部材は、複数の部材により形成されるとともに複数の前記部材を相互に結合しかつ支持部材の大きさを伸縮可能とする結合部を有し、前記枠体に設けた係止部に係止するように形成したものである。
【００１１】
これにより、トッププレートを支持する固定部およびトッププレートと固定部とのスポット溶接を不要としてトッププレート固定部の脱落などの不良をなくし、パッキンの緩み時の、煮汁などの侵入による電装部の故障を防止するとともに、簡単に組立ができる構成でトッププレートの保持を可能とし、品質、コストに優れた加熱調理器を提供することができる。
【発明の効果】
【００１２】
本発明の加熱調理器は、煮汁などの侵入による電装部の故障を防止するとともに、組立が容易で品質、コストに優れる効果を有する。
【発明を実施するための最良の形態】
【００１３】
第１の発明は、被加熱物を載置するトッププレートと、前記トッププレートの周縁部を覆うとともに本体外郭に装着される枠体と、前記トッププレートと前記枠体の間に設けたシール部材と、前記トッププレートを前記枠体に保持する支持部材とを備え、前記支持部材は、複数の部材により形成されるとともに複数の前記部材を相互に結合しかつ支持部材の大きさを伸縮可能とする結合部を有し、前記枠体に設けた係止部に係止するように形成した加熱調理器とすることにより、支持部材に結合部を形成し、ビスなどの機械的取付け手段により伸長して枠体の係止部に取付けて、シール部材をトッププレートと枠体で確実に保持するので、トッププレートの支持する固定部およびトッププレートと固定部とのスポット溶接がなく、固定部の脱落不良や脱落によって生じる本体外郭内への吹きこぼれ煮汁などの侵入を防止し、電装部の故障を防止する。
【００１４】
また、簡単に組立ができコスト性に優れるとともに、外観面にスポット溶接による焼痕も生じないので外観品位に優れる。
【００１５】
第２の発明は、特に、第１の発明において、結合部は、対向する支持部材の双方の端部に形成された段部を有し、前記支持部材は、前記段部の上部で相互に重ねられ、双方の前記支持部材の段部側壁と前記段部の上部で形成される断面が略凹状の凹状部に、前記凹状部の双方の支持部材の段部側壁を押し広げる押圧部材を嵌め込むことにより支持部材を伸長する押圧部材を有する構成としたことにより、押圧部材を嵌め込むと段部側壁が押し広げられて支持部材が伸長し枠体の係止部に係止されるので、押圧部材を嵌め込んで係止するだけで前記トッププレートを簡単でかつ確実に枠体に取付けできる。
【００１６】
第３の発明は、特に第１または第２の発明において、結合部は、双方の支持部材段部の上部の一方にネジ穴を、他方に長穴を設け、両辺を傾斜面とした押圧部材に貫通穴を備え、前記貫通穴及び前記長穴を通したビスを前記ネジ穴に締め込むことにより前記押圧部材が凹状部の双方の支持部材の段部側壁を徐々に押し広げる構成としたことにより、結合部の組立が容易でかつ確実に行える。
【００１７】
第４の発明は、特に第１または第２の発明において、結合部は、対向する支持部材の双方の端部に形成された段部を有し、前記支持部材段部の上部の一方にネジ穴を、他方に長穴を設け、貫通穴を有する断面略Ｕ状の弾性体により形成した弾性部材を備え、前記貫通穴及び前記長穴を通したビスを前記ネジ穴に締め込むことにより前記弾性部材が双方の前記支持部材の段部側壁と前記段部の上部で形成される断面が略凹状の凹状部の双方の支持部材の段部側壁を徐々に押し広げて係止する構成としたことにより、前記弾性部材の反発力により一層強固に係止できるとともに、結合部の組立が容易でかつ確実に行える。
【００１８】
第５の発明は、特に第１〜第４のいずれか１項の発明において、支持部材は、複数の略コ状部材を対向して額縁状に形成するとともに、複数の前記略コ状部材が接する部位に結合部を設けたことにより、トッププレートの縦および横方向を額縁状に支持するので、シール部材のシール性を一層高めることができるとともに、結合部の組立が容易に行える。
【００１９】
第６の発明は、特に第１〜第５のいずれか１項の発明において、結合部により接続された二つの支持部材を結合部以外の場所で連結する連結部材を装備した構成としているので、結合部の強度を連結部材で一体に連結して補強し、トッププレートの支持がより強固で確実に行える。
【００２０】
以下、本発明の実施の形態について、図面を参照しながら説明する。なお、本実施の形態によって本発明が限定されるものではない。
【００２１】
（実施の形態１）
図１、図２は本発明の実施の形態１における加熱調理器を示すものである。
【００２２】
図１および図２において、被加熱物を載置するトッププレート１と、トッププレート１の周縁部を覆うとともに本体外郭３に装着される枠体２と、トッププレート１と枠体２の間に設けたシール部材８と、トッププレート１を枠体２に保持する支持部材９とを備え、支持部材９は、複数の部材により形成されるとともに複数の部材を相互に結合しかつ支持部材９の大きさを伸縮可能とする結合部１４を有し、枠体２に設けた係止部７に係止して構成した加熱調理器を示している。
【００２３】
また、本体外郭３は内部に魚焼きなどを行う加熱庫５を配置するとともに、本体外郭３の前部に電源の入り切りや火力調整を行う操作部４を設けている。
【００２４】
以上のように構成された加熱調理器において、動作と作用について説明する。
【００２５】
トッププレート１の上に調理材を入れた鍋などを置いて電源を入れると、電装部１２のインバータ装置の制御により加熱コイル１０に高周波磁界を発生し、鍋を誘導加熱して調理が行える。通常、使用者は調理の出来具合を確認しながら火力調整などを行い、完了すると電源を切って終了する。
【００２６】
しかしながら、トッププレート１には鍋や調理材料による相当の重量がかかるので、その保持には、強固で耐久性にすぐれた構成が要求される。特に、調理中に吹きこぼれ煮汁などの溶液がトッププレート１上に流れ出る場合があり、トッププレート１と枠体２とがシール部材８と共に確実に密着していることが重要で、この密着が不充分であると前記溶液が本体外郭３内に侵入し、電装部１２に滴下して故障の原因になる危険性を有している。
【００２７】
しかし、本実施の形態によれば、支持部材９に結合部１４を形成し、ビスなどの機械的取付け手段により伸長して枠体２の係止部７に取付けているので、シール材８をトッププレート１と枠体２で確実に保持するので、溶液が本体外郭３の内部へ侵入をせず、電装部１２の故障を防止することができる。
【００２８】
また、枠体２とトッププレート１およびシール部材８の組立は、枠体２にシール部材８を装着し、トッププレート１、支持部材９を順次載置、支持部材９をビスなどの取付けにより伸長して枠体２の係止部７に係止するだけでよいので簡単に組立ができコスト性に優れるとともに、外観面にスポット溶接による焼痕も生じないので外観品位に優れる。
【００２９】
（実施の形態２）
図３は、本発明の実施の形態２における加熱調理器の要部を示すものである。実施の形態１と同一要素については同一符号を付して説明を省略する。
【００３０】
図３において、結合部１４は、対向する支持部材９の双方の端部に形成された段部１５を有し、支持部材９は段部１５の上部で相互に重ねられ、双方の支持部材９の段部側壁１６と段部１５の上部で形成される断面が略凹状の凹状部に、凹状部の段部側壁１６を押し広げる押圧部材１７を嵌め込むことにより支持部材９を伸長する押圧部材１７を設けて構成している。
【００３１】
以上のように構成された加熱調理器において、動作と作用について説明する。
【００３２】
支持部材９に設けた結合部１４に段部側壁１６を形成し、押圧部材１７を嵌め込むと段部側壁１６が押し広げられて支持部材９が矢視の方向に伸長し枠体２の係止部７に係止されるので、組立が容易に行え、コスト低減を図るとともに、確実な保持構成で溶液が本体外郭３の内部へ侵入をせず、電装部１２の故障を防止することができ品質を向上させることができる。
【００３３】
（実施の形態３）
図４は、本発明の実施の形態３における加熱調理器の要部を示すものである。実施の形態１と同一要素については同一符号を付して説明を省略する。
【００３４】
図４（ａ）において、結合部１４は、支持部材９に設けた段部１５の上部の一方にネジ穴１８を、他方に長穴１９を設け、両辺を傾斜面２０とした押圧部材１７に貫通穴２１を備え、貫通穴２１及び長穴１９を通したビス２５をネジ穴１８に締め込むことにより押圧部材１７が凹状部の段部側壁１６を徐々に押し広げ、支持部材９を矢視の方向に伸長する構成としている。
【００３５】
図４（ｂ）は、押圧部材１７を結合部１４に設けた段部１５のネジ穴１８にビス２５により係止した状態を示し、支持部材９は伸長して係止される。
【００３６】
以上のように構成された加熱調理器において、動作と作用について説明する。
【００３７】
押圧部材１７の貫通穴２１、支持部材９の長穴１９にビス２５を通し、支持部材９のネジ穴１８に締めこむことにより、支持部材１７の傾斜面２０が支持部材９の段部側壁１６を押し広げるとともに、長穴１９により支持部材９が矢視の方向にスムーズに伸長するので組立性を向上してコスト低減を図るとともに、確実な保持構成で溶液が本体外郭３の内部へ侵入をせず、電装部１２の故障を防止することができ品質を向上させることができる。
【００３８】
（実施の形態４）
図５は、本発明の実施の形態４における加熱調理器の要部を示すものである。実施の形態１と同一要素については同一符号を付して説明を省略する。
【００３９】
図５（ａ）において、結合部１４は、支持部材９に設けた段部１５の上部のネジ穴１８を、他方に長穴１９を設け、貫通穴２１を有する断面略Ｕ状の弾性体により形成した弾性部材２２を備え、貫通穴２１及び長穴１９を通したビス２５をネジ穴１８に締め込むことにより弾性部材２２が変形し凹状部の段部側壁１６を徐々に押し広げ、支持部材９を矢視の方向に伸長する構成としている。
【００４０】
図５（ｂ）は、弾性部材１９を結合部１４に設けた段部１５に押し圧変形させ、段部１５のネジ穴１８にビス２５により係止した状態を示し、支持部材９は伸長して係止される。
【００４１】
以上のように構成された加熱調理器において、動作と作用について説明する。
【００４２】
弾性部材２２の貫通穴２１、支持部材９の長穴１９にビス２５を通し、支持部材９のネジ穴１８に締めこむことにより、弾性部材２２が略扁平状に変形し、支持部材９の段部側壁１６を押し広げるとともに、長穴１９により支持部材９が矢視の方向にスムーズに伸長するので組立性を向上するとともに弾性部材２２の反発力によりビス２５のネジによる締結部の緩みを防止し、より確実な保持ができ、簡単な構成でコスト低減を図るとともに、確実な保持構成で溶液が本体外郭３の内部へ侵入をせず、電装部１２の故障を防止することができ品質を向上させることができる。
【００４３】
（実施の形態５）
図６は、本発明の実施の形態５における加熱調理器の要部を示すものである。実施の形態１と同一要素については同一符号を付して説明を省略する。
【００４４】
図６において、支持部材９は、複数の略コ状部材２３を対向して額縁状に形成するとともに、略コ状部材２３の接する部位に結合部１４を設けた構成としている。
【００４５】
以上のように構成された加熱調理器において、動作と作用について説明する。
【００４６】
支持部材９はトッププレート１を下方から支持するが、略コ状部材２３を額縁状に形成することにより、トッププレート１の縦および横方向を一体に支持することができ、枠体２とトッププレート１およびシール部材８の全周の密着性を高めることができる。
【００４７】
このように、簡単な構成でコスト低減を図るとともに、確実な保持構成で溶液が本体外郭３の内部へ侵入をせず、電装部１２の故障を防止することができ品質を向上させることができる。
【００４８】
（実施の形態６）
図７は、本発明の実施の形態６における加熱調理器の要部を示すものである。実施の形態１と同一要素については同一符号を付して説明を省略する。
【００４９】
図７において、結合部１４により接続された二つの支持部材９を結合部１４以外の場所で連結する断面略コ状の連結部材２４を設け、支持部材９を一体に連結する構成としている。
【００５０】
以上のように構成された加熱調理器において、動作と作用について説明する。
【００５１】
連結部材２４により、支持部材６の結合部１４の補強が行え、強度をより一層向上し、トッププレート１の支持がさらに強固で確実に行える。
【産業上の利用可能性】
【００５２】
以上のように、本発明にかかる加熱調理器は、トッププレートの固定を簡単、確実に行えるとともに、トッププレート上の流出液の電装部への滴下を防止し、故障を防ぐことができるので、鍋などを載置するトッププレートを有する組み込み式あるいは据え置き式の加熱調理器等に適用できる。
【図面の簡単な説明】
【００５３】
【図１】本発明の実施の形態１における加熱調理器の斜視図
【図２】同加熱調理器の断面図
【図３】本発明の実施の形態２における加熱調理器の要部断面図
【図４】（ａ）本発明の実施の形態３における加熱調理器の動作を示す要部断面図（ｂ）同加熱調理器の動作を示す要部断面図
【図５】（ａ）本発明の実施の形態４における加熱調理器の動作を示す要部断面図（ｂ）同加熱調理器の動作を示す要部断面図
【図６】本発明の実施の形態５における加熱調理器の要部平面図
【図７】本発明の実施の形態６における加熱調理器の要部断面図
【図８】従来の加熱調理器の要部断面図
【符号の説明】
【００５４】
１  トッププレート
２  枠体
３  本体外郭
７  係止部
８  シール部材
９  支持部材
１２  電装部
１４  結合部
１５  段部
１６  段部側壁
１７  押圧部材
１８  ネジ穴
１９  長穴
２１  貫通穴
２２  弾性部材
２４  連結部材
２５  ビス
【図１】
2005273982.tif 000003
【図２】
2005273982.tif 000004
【図３】
2005273982.tif 000005
【図４】
2005273982.tif 000006
【図５】
2005273982.tif 000007
【図６】
2005273982.tif 000008
【図７】
2005273982.tif 000009
【図８】
2005273982.tif 000010